(57)【要約】 【課題】低音効果音が適切に出力可能な再生方法を提供する。【解決手段】  聴取者の入力操作にて低音効果音の出力要求を認識したコントローラ７１０は、フィルタ選択手段８４０および低音処理切替手段８７０を切り替え、所定の低域通過フィルタ８３０を設定する。入力端子６３１からそれぞれ入力する音声データをそれぞれ出力レベルの調整およびエフェクト処理後、所定の低域通過フィルタ８３０を通過させて出力調整後に、低音効果音用スピーカに対応する出力端子６３８から出力させる。他のスピーカから出力させる音声データは、それぞれ出力調整後、低域通過フィルタ８３０のカットオフ周波数の２次関数で近似した演算式でコントローラ７１０で演算した遅延時間で遅延処理し、各スピーカに対応した出力端子６３８から出力させる。【選択図】  図３
2006014367.tif 000002
【特許請求の範囲】
【請求項１】
音声データを処理する音声データ処理方法であって、
低域通過フィルタを用いて前記音声データの所定の周波数を通過させ、第１のチャンネル信号として出力するステップと、
前記低域通過フィルタを通過させることなく前記音声データを第２のチャンネル信号として出力するステップと、
前記音声データが前記低域通過フィルタを通過する際に生じる遅延分に基づいて、前記第１のチャンネル信号と前記第２のチャンネル信号とのタイミングを同期させるステップと、
を具備したことを特徴とする音声データ処理方法。
【請求項２】
請求項１に記載の音声データ処理方法であって、
前記第１のチャンネル信号と前記第２のチャンネル信号とのタイミングを同期させるステップは、前記第２のチャンネル信号に対して遅延処理を実施する
ことを特徴とする音声データ処理方法。
【請求項３】
請求項１に記載の音声データ処理方法であって、
前記第１のチャンネル信号と前記第２のチャンネル信号とのタイミングを同期させるステップは、前記低域通過フィルタに入力される前記音声データに対して負の遅延処理を実施する
ことを特徴とする音声データ処理方法。
【請求項４】
請求項１ないし請求項３のいずれかに記載の音声データ処理方法であって、
通過させる周波数が異なる特性で複数設けられた前記低域通過フィルタのうち、前記音声データを通過させる前記低域通過フィルタを選択するステップをさらに具備した
ことを特徴とする音声データ処理方法。
【発明の詳細な説明】
【技術分野】
【０００１】
本発明は、音声データを複数のスピーカから出力可能に処理する音声データ処理方法に関する。
【背景技術】
【０００２】
従来、複数のスピーカを用いて多チャンネル音声を再生する再生システムが知られている。この再生システムは、例えば画像データをモニタで表示させ、視聴者の周りに複数のスピーカを配置して、視聴者の周囲から音声データを再生させる。これら再生システムで再生する音声データは、例えばＤＶＤ（Digital Versatile Disc）などのパッケージメディアに記録されていたり、インターネットなどのネットワークを介して配信されている。この音声データは、例えば楽器の音や、いわゆるシンセサイザと称される電子楽器の音を、音声データ処理装置にて適宜処理してパッケージメディアに記録されたり、ネットワーク配信される。
【０００３】
そして、従来の音声データ処理装置では、低音効果音用スピーカで再生出力する低音効果音を作成する構成が知られている。この音声データ処理装置は、独立した効果音の音声の他、センタースピーカ、左右のフロントスピーカ、左右のサラウンドスピーカなど、他のスピーカで再生出力されるセンターチャンネルやフロントチャンネルなどのメインチャンネルである音声データの低音成分を、低域通過フィルタを利用して取り出している。この取り出した音声データを低音効果音チャンネルである低音効果音用音声データとして生成している。
【発明の開示】
【発明が解決しようとする課題】
【０００４】
しかしながら、上記従来の音声データ処理装置において、センターチャンネルや左右のフロントチャンネルなどのメインチャンネルから低域通過フィルタを用いて低音効果音チャンネルを生成する際、低域通過フィルタの特性により遅延が生じるおそれがある。この遅延により、再生システムで各スピーカから各チャンネルを再生出力させた場合に、メインチャンネルと低音効果音チャンネルとの再生出力に時間差が生じるおそれがある。この時間差により、メインチャンネルと低音効果音チャンネルとの位相差が大きくなり、視聴者に十分な低音感を提供できなくなるおそれがあるとともに、タイミングの不一致により音質の劣化を生じるおそれがある問題が一例として挙げられる。
【０００５】
本発明は、このような問題点を一つの課題として捉え、低音効果音が適切に出力可能な音声データ処理方法を提供することを１つの目的とする。
【課題を解決するための手段】
【０００６】
請求項１に記載の発明は、音声データを処理する音声データ処理方法であって、低域通過フィルタを用いて前記音声データの所定の周波数を通過させ、第１のチャンネル信号として出力するステップと、前記低域通過フィルタを通過させることなく前記音声データを第２のチャンネル信号として出力するステップと、前記音声データが前記低域通過フィルタを通過する際に生じる遅延分に基づいて、前記第１のチャンネル信号と前記第２のチャンネル信号とのタイミングを同期させるステップと、を具備したことを特徴とする音声データ処理方法である。
【発明を実施するための最良の形態】
【０００７】
以下に、本発明の一実施の形態における再生装置を図面に基づいて説明する。なお、この一実施の形態では、音声データ再生出力する構成について説明するが、音声データとともに画像データを再生出力するために処理する構成や、再生出力するために処理するいわゆるミキサなどの構成とするなどしたものでもよい。また、スピーカに音声データを再生出力させる構成について説明するが、処理した音声データをＤＶＤ（Digital Versatile Disc）やＣＤ（Compact Disk）、ハードディスク（Hard Disk）などの光ディスクや磁気ディスク、磁気テープ、フィルムの音声トラック、メモリなどの記録媒体に記録させる構成、ネットワークを介して配信させる構成などにも適用できる。図１は、再生装置の概略構成を示すブロック図である。図２は、再生装置におけるデジタル信号処理部のプログラムとしての概略構成を示すブロック図である。図３は、ミキシング・エフェクト部の概略構成を示すブロック図である。図４は、群遅延特性および周波数との関係における遅延処理の有無の差を示すグラフである。図５は、インパルス応答と遅延時間との関係を示すグラフである。
【０００８】
〔再生装置の構成〕
図１において、１００は再生装置で、この再生装置１００は、音声データおよび画像データを利用者が視聴可能に処理する。この再生装置１００は、処理した音声データを再生、すなわち音声として出力する複数の出力手段２００が接続される。
【０００９】
出力手段２００は、再生装置１００から出力される各種音声データをそれぞれ再生出力する。これら出力手段２００は、デジタル／アナログコンバータ（Digital-Analog Converter：ＤＡＣ）２１０と、アンプ２２０と、スピーカ２３０と、を備え、複数例えば６対設けられている。
【００１０】
なお、本実施の形態においては、複数の出力手段２００の各スピーカ２３０として、例えばいわゆる５．１チャンネル（ｃｈ）、すなわち基準点となる聴取位置、すなわち再生される音声データを聴取する聴取者の略正面に位置して設置されるセンタースピーカ２３０Ｃと、聴取者に対して前方右側に設置される右前スピーカ２３０Ｒと、聴取者に対して前方左側に設置される左前スピーカ２３０Ｌと、聴取者に対して後方右側に設置される右後スピーカ２３０ＳＲと、聴取者に対して後方左側に設置される左後スピーカ２３０ＳＬと、０．１ｃｈに相当する低音効果音である低音成分を再生する低音効果音用スピーカ２３０ＬＦＥと、を備えた構成を例示して説明する。その他、後方スピーカを略中央、すなわち聴取者の後方にセンタースピーカ２３０Ｃに略対向する状態に１つ増やした６．１ｃｈや、後方スピーカをサラウンドスピーカのように２つ増やした７．１チャンネルなどでもよい。
【００１１】
デジタル／アナログコンバータ（Digital-Analog Converter：ＤＡＣ）２１０は、再生装置１００に接続され、再生装置１００から出力される処理されたデジタルの音声データをアナログに変換する。そして、ＤＡＣ２１０は、アナログに変換した音声データを、それぞれアンプ２２０へ出力する。
【００１２】
アンプ２２０は、ＤＡＣ２１０に接続されているとともに、スピーカ２３０にそれぞれ接続されている。これらアンプ２２０は、ＤＡＣ２１０から出力されるアナログ信号の音声データを適宜スピーカ２３０から出力可能に処理し、スピーカ２３０へ出力して再生出力させる。
【００１３】
一方、再生装置１００は、システムマイコン３００と、入力手段としての入力操作部４００と、モニタ部５００と、音声処理部６００と、を備えている。システムマイコン３００は、再生装置１００全体の動作を制御する。このシステムマイコン３００には、入力操作部４００、モニタ部５００および音声処理部６００が接続されている。
【００１４】
入力操作部４００は、入力操作可能な例えば図示しない操作ボタンや操作つまみなどのスイッチを複数有している。この入力操作部４００は、これらスイッチの入力操作により所定の信号をシステムマイコン３００に出力し、各種条件をシステムマイコン３００に設定入力する。なお、入力操作部としては、スイッチの入力操作にて設定入力する構成に限らず、音声入力などいずれの入力方法が利用できる。また、いわゆるリモコンであるリモートコントローラとして構成し、入力操作に対応した信号を無線媒体を介してシステムマイコン３００へ送信して設定入力させる構成としてもよい。
【００１５】
モニタ部５００は、例えば液晶やＥＬ（Electro Luminescence）パネルなどの表示装置が用いられる。そして、モニタ部５００は、システムマイコン３００の制御により、システムマイコン３００から出力される信号に基づいて、音声データの処理状況や再生出力状態、入力操作内容などを表示する。
【００１６】
音声処理部６００は、システムマイコン３００に制御され、音声データを各出力手段２００のスピーカ２３０から音声としてそれぞれ再生出力するための処理をする。この音声処理部６００は、複数の音声データ入力端子６１０と、音声データ取得手段としてのデジタルインターフェースレシーバ（Digital Interface Receiver：ＤＩＲ）６２０と、音声データ処理装置としてのデジタル信号処理部（Digital Signal Processor：ＤＳＰ）６３０と、出力手段２００に対応した複数、例えば６つの音声データ出力端子６６０と、を備えている。
【００１７】
なお、本実施の形態では、出力手段２００および音声データ出力端子６６０は、例えば出力手段２００の数に対応して６つ設けた構成について説明するが、複数の出力手段２００の一部または全部をいわゆるワイヤレスとし、処理した音声データを無線媒体を介して転送する構成としてもよい。このような構成では、例えば再生装置１００に処理した音声データを送信する送信手段を設けるとともに、出力手段２００に受信手段を設けるなどするとよい。
【００１８】
音声データ入力端子６１０は、例えば図示しないプラグが着脱可能に接続されるコネクタやリード線が接続されるターミナルなどである。そして、音声データ入力端子６１０は、音声データを出力する音声データ出力機器が着脱可能に接続され、この音声データ出力機器から出力される音声データが入力される。例えば、図示しない電子楽器から出力されるアナログ信号の音声データをアナログ／デジタルコンバータにて変換したデジタル信号の音声データ、あるいは上述したような光ディスクや磁気ディスクなどの記録媒体から読取装置のドライブにて読み取ったデジタル信号の音声データなどが例示できる。
【００１９】
デジタルインターフェースレシーバ（Digital Interface Receiver：ＤＩＲ）６２０は、音声データ入力端子６１０に接続されている。このＤＩＲ６２０は、音声データ入力端子６１０に入力された音声データを取得して適宜変換し、このＤＩＲ６２０に接続されたデジタル信号処理部６３０へストリーム音声データとして出力する。
【００２０】
音声データ出力端子６６０は、例えばプラグが接続されるコネクタやリード線が接続されるターミナルなどである。この音声データ出力端子６６０は、デジタル信号処理部６３０に接続されるとともに、各出力手段２００のＤＡＣ２１０にそれぞれ接続すなわち出力手段２００の数に対応して複数設けられ、各出力手段２００がリード線を介して接続可能となっている。そして、音声データ出力端子６６０は、デジタル信号処理部６３０から出力される音声データを出力手段２００へ出力する。
【００２１】
デジタル信号処理部（Digital Signal Processor：ＤＳＰ）６３０は、ＤＩＲ６２０、音声データ出力端子６６０およびシステムマイコン３００に接続されている。そして、デジタル信号処理部６３０は、システムマイコン３００により制御され、ＤＩＲ６２０から出力されるストリーム音声データを取得し、適宜音声データをいわゆるミキシング処理およびエフェクト処理をするとともに遅延処理であるディレイ処理を実施し、音声データ出力端子６６０へ出力する。このデジタル信号処理部６３０は、音声データ取得手段としての複数の入力端子６３１と、データバス６３２と、ストリームデータ入力部６３３と、ホストインターフェース部６３４と、記憶手段としてのメモリ部６３５と、演算手段である制御手段としての演算部６３６と、オーディオデータ出力部６３７と、複数の出力端子６３８と、を備えている。
【００２２】
入力端子６３１は、ＤＩＲ６２０に接続され、音声データ入力端子６１０毎に入力される音声データに対応しＤＩＲ６２０から出力されるストリーム音声データがそれぞれ入力される。これら入力端子６３１は、音声データ入力端子６１０に対応して複数設けられ、各音声データ入力端子６１０に入力されＤＩＲ６２０で処理されて出力される対応したストリーム音声データが入力される。
【００２３】
ストリームデータ入力部６３３は、入力端子６３１およびデータバス６３２に接続されている。このストリームデータ入力部６３３は、ＤＩＲ６２０から入力端子６３１に入力されたストリーム音声データを取得し、適宜データバス６３２へ出力する。
【００２４】
ホストインターフェース部６３４は、システムマイコン３００およびデータバス６３２に接続されている。このホストインターフェース部６３４は、システムマイコン３００からの指示指令をデータバス６３２を介して演算部６３６へ出力し、演算部６３６を適宜動作させる。
【００２５】
オーディオデータ出力部６３７は、データバス６３２および出力端子６３８に接続されている。このオーディオデータ出力部６３７は、データバス６３２から演算部６３６で後述する処理が実施された音声データを取得して出力端子６３８へ適宜出力する。
【００２６】
出力端子６３８は、入力端子６３１に対応して複数設けられている。これら出力端子６３８は、入力端子６３１に入力されオーディオデータ出力部６３７から出力されるストリーム音声データを、各出力手段２００のスピーカ２３０から再生出力させる各チャンネルの音声データＬ，Ｒ，ＬＳ，ＲＳ，Ｃ，ＬＦＥ（Low Frequency Effect）として出力する。なお、音声データＬＦＥは、いわゆる５．１チャンネル（ｃｈ）のうちの０．１ｃｈに相当、すなわち低音効果音用スピーカ２３０ＬＦＥから再生出力させる低音効果音である低音成分だけを含んだチャンネルの他、詳細は後述するが、切替動作により低音効果音用スピーカ２３０ＬＦＥを他のスピーカ２３０Ｃ，２３０Ｆ，２３０Ｌ，２３０ＳＲ，２３０ＳＬと同様に所定の周波数で除去せずにそのまま再生出力させるチャンネルともなる。
【００２７】
メモリ部６３５は、例えば光ディスクや磁気ディスクあるいはメモリカードなどの記録媒体に各種データを記憶および読み出すドライブやドライバなどを備えた構成や半導体チップなど、各種データを記憶および読み出し可能に構成されている。このメモリ部６３５は、データバス６３２に接続され、ストリーム音声データを適宜処理するためのプログラムや所定のストリーム音声データを遅延処理するための処理条件などを記憶する。また、メモリ部６３５には、例えばストリーム音声データを格納する後述するデータ格納領域６３５Ａを有している。
【００２８】
演算部６３６は、データバス６３２に接続され、システムマイコン３００からの指令信号に基づいて、メモリ部６３５に記憶されたプログラムや処理条件に基づいて、ストリームデータ入力部６３３からデータバス６３２に出力されるストリーム音声データを適宜処理する。
【００２９】
そして、ＤＳＰ６３０は、メモリ部６３５に記憶されたプログラムにより、図２に示すように、制御手段として機能するコントローラ７１０と、メモリ部６３５のデータ格納領域６３５Ａと、ミキシング・エフェクト部７２０と、を構成している。すなわち、コントローラ７１０が、入力端子６３１からそれぞれ入力されるストリーム音声データを、データ格納領域６３５Ａに一時的に格納させるとともに、ミキシング・エフェクト部７２０にて各スピーカ２３０に振り分ける処理をする。そして、ミキシング・エフェクト部７２０は、図３に示すように、複数すなわち入力端子６３１に対応した数の音声データ処理部８００にて構成されているこれら音声データ処理部８００は、出力調整部８１０と、エフェクト処理部８２０と、複数の低域通過フィルタ８３０と、フィルタ選択手段８４０と、複数の個別出力調整部８５０と、遅延処理手段８６０と、低音処理切替手段８７０と、を備えている。
【００３０】
コントローラ７１０は、メモリ部６３５および入力端子６３１に接続するとともに、ミキシング・エフェクト部７２０の各音声データ処理部８００の遅延処理手段８６０、フィルタ選択手段８４０および低音処理切替手段８７０に接続されている。そして、コントローラ７１０は、入力端子６３１のうちのいずれか一つに入力される同期信号を取得し、この同期信号に基づいて他の入力端子６３１にそれぞれ入力されるストリーム音声データを、メモリ部６３５のデータ格納領域６３５Ａに一時的に適宜格納させる。この同期信号は、音声データ入力端子６１０から入力される音声データを同じタイミングで出力させて同期を採るための信号で、例えば基準パルスや内部クロックなどが例示できる。
【００３１】
また、コントローラ７１０は、詳細は後述するが、同期信号に基づいてメモリ部６３５のデータ格納領域６３５Ａから読み出したストリーム音声データを、各音声データ処理部８００の遅延処理手段８６０を制御して遅延処理を制御する。例えば、映像出力する構成と同期して、所定の映像出力の際に所定の音声データの時間情報に基づいて所定の音声データを再生出力させたり、音声データ入力端子６１０からそれぞれ入力されるストリーム音声データをこれらストリーム音声データに設けられた時刻情報に基づいて同期させて再生出力させるなどが例示できる。
【００３２】
さらに、コントローラ７１０は、各音声データ処理部８００のフィルタ選択手段８４０を制御して、エフェクト処理部８２０から出力されるストリーム音声データを、所定の低域通過フィルタ８３０を通過させる処理をする。また、コントローラ７１０は、詳細は後述するが、各音声データ処理部８００の低音処理切替手段８７０を制御して、エフェクト処理部８２０から出力されるストリーム音声データを、所定のスピーカ２３０から通常に再生出力させるか、所定の低音効果音として再生出力させるか、を切り替える処理をする。
【００３３】
これらコントローラ７１０による各音声データ処理部８００のフィルタ選択手段８４０および低音処理切替手段８７０の制御は、例えば入力操作部４００の操作ボタンや操作つまみの入力操作に対応して出力される信号に基づいて、システムマイコン３００がスピーカ２３０から入力操作に対応して所定の制御信号を出力する。このシステムマイコン３００から出力される制御信号を、ホストインターフェース部６３４およびデータバス６３２を介して演算部６３６が認識し、プログラムとしてのコントローラ７１０が制御信号に基づいて切替制御する。
【００３４】
ミキシング・エフェクト部７２０の各音声データ処理部８００の出力調整部８１０は、入力端子６３１にそれぞれ接続され、入力端子６３１に入力されたストリーム音声データを取得し、この取得したストリーム音声データを所定の出力で出力させる制御をする。この出力の制御としては、例えば入力操作部４００の操作ボタンや操作つまみの入力操作に対応して出力される信号に基づいて、システムマイコン３００がスピーカ２３０から出力する出力量すなわちボリュームを入力操作に対応して調整する制御信号を出力する。このシステムマイコン３００から出力される制御信号を、ホストインターフェース部６３４およびデータバス６３２を介して演算部６３６が認識し、プログラムとしての出力調整部８１０が制御信号に対応して取得したストリーム音声データの出力を制御する。
【００３５】
エフェクト処理部８２０は、出力調整部８１０に接続され、出力調整部８１０から出力されるストリーム音声データをエフェクト処理する。具体的には、周波数や位相を変更するなどしてスピーカ２３０から再生出力されるストリーム音声データの音色を変更したりエコーを付加するなどの音質を変更する。このエフェクト処理部８２０は、上述したように、例えば入力操作部４００による入力操作に対応するシステムマイコン３００からの制御信号に基づいてエフェクト処理の内容が設定される。このエフェクト処理部８２０は、エフェクト処理したストリーム音声データを複数に分岐して出力する。すなわち、エフェクト処理部８２０には遅延処理手段８６０およびフィルタ選択手段８４０が接続され、詳細は後述するが、出力するスピーカ２３０の数に対応して６つに分岐して出力し遅延処理手段８６０にて遅延処理するとともに、フィルタ選択手段８４０にて低音効果音の抽出処理を選択可能としている。
【００３６】
低域通過フィルタ８３０は、いわゆるローパスフィルタ（Low-Pass Filter：ＬＰＦ）で、エフェクト処理部８２０から出力されるストリーム音声データの所定の周波数より高い周波数を除去して低域部分のみを通過させる。この低域通過フィルタ８３０は、除去する周波数帯が異なる特性で複数設けられている。そして、各低域通過フィルタ８３０は、それぞれフィルタ選択手段８４０に接続されている。
【００３７】
フィルタ選択手段８４０は、エフェクト処理部８２０に接続され、コントローラ７１０の制御により、エフェクト処理部８２０から出力されるストリーム音声データを、いずれの低域通過フィルタ８３０に通過させるかを切り替えて選択する。このコントローラ７１０による切替制御は、上述したように、例えば入力操作部４００による入力操作に対応するシステムマイコン３００からの制御信号に対応して実施される。
【００３８】
個別出力調整部８５０は、各スピーカ２３０から再生されるストリーム音声データをそれぞれ個別にボリューム制御する。このボリューム制御についても、出力調整部８１０と同様に、入力操作部４００による入力操作に対応するシステムマイコン３００からの制御信号に対応して実施される。なお、例えばセンタースピーカ２３０Ｃ、右前スピーカ２３０Ｒ、左前スピーカ２３０Ｌ、右後スピーカ２３０ＳＲおよび左後スピーカ２３０ＳＬから再生出力されるストリーム音声データに対応する個別出力調整部８５０は遅延処理手段８６０とエフェクト処理部８２０との間に位置して設けられ、エフェクト処理部８２０から分岐されて出力されるこれらストリーム音声データはボリューム制御された後に遅延処理される。一方、低音効果音用スピーカ２３０ＬＦＥから再生出力されるストリーム音声データに対応する個別出力調整部８５０は遅延処理あるいは低域通過フィルタ８３０による所定周波数帯の除去処理後にボリューム制御される位置、すなわち遅延処理手段８６０および低域通過フィルタ８３０と出力端子６３８との間に位置して設けられている。
【００３９】
遅延処理手段８６０は、複数、例えば出力手段２００の数に対応した複数のディレイ処理手段８６１を有している。この遅延処理手段８６０の各ディレイ処理手段８６１は、各出力手段２００における基準点となる聴取者との距離に対応し最も遠くに設置されるスピーカ２３０を基準として聴取者までの距離が短くなるにしたがって遅延時間が長くなる遅延処理をする。すなわち、最終的に各スピーカ２３０からストリーム音声データが同タイミングで聴取者が聞き取れる状態に遅延処理される。なお、このスピーカ２３０の設置位置に関する遅延処理は、入力操作部４００の切替操作、例えば音声データ出力端子６６０に接続する構成として、出力手段２００ではなく例えば各種記録媒体に処理した音声データを記録するための出力インターフェースが接続されたり、ネットワークを介して送信する送信手段、エンコーダなどが接続された構成など、切替操作により実施させないことも可能である。
【００４０】
また、遅延処理手段８６０は、コントローラ７１０の制御により、フィルタ選択手段８４０の切替動作に対応して全体的な遅延時間を相対的に長くなる状態に遅延処理する。すなわち、コントローラ７１０が低音処理切替手段８７０を切り替えてストリーム音声データから低音成分を抽出する処理が選択された際に、コントローラ７１０がフィルタ選択手段８４０を切り替えて選択された低域通過フィルタ８３０をストリーム音声データが通過する際に生じる遅延に対応して、他のスピーカ２３０であるセンタースピーカ２３０Ｃ、右前スピーカ２３０Ｒ、左前スピーカ２３０Ｌ、右後スピーカ２３０ＳＲおよび左後スピーカ２３０ＳＬから出力されるストリーム音声データを遅延させ、低音効果音用スピーカ２３０ＬＦＥから再生出力される低音効果音のストリーム音声データと再生出力タイミングを同期させる。
【００４１】
具体的には、再生時に空間合成された際の群遅延特性が平坦、すなわち低音効果音用スピーカ２３０ＬＦＥとその他のスピーカ２３０Ｃ，２３０Ｒ，２３０Ｌ，２３０ＳＲ，２３０ＳＬの合成特性において、周波数と群遅延との関係が周波数に対してほぼ一定となる平坦な状態にコントローラ７１０にて遅延時間を設定し、各ディレイ処理手段８６１で遅延処理する。なお、音声データ出力端子６６０に出力手段２００が接続されて設置位置に対応した遅延処理も必要である場合には、設定した遅延時間を聴取者までの設置距離に基づく遅延時間に加算した遅延時間に関する信号に基づいて各ディレイ処理手段８６１で遅延処理する。
【００４２】
遅延時間は、低域通過フィルタ８３０がはしご型のＬＣ回路となるバターワース（Butterworth）型のローパスフィルタの場合、除去する周波数であるカットオフ周波数、および低域通過フィルタ８３０の次数、すなわちはしご型のＬＣ回路におけるリアクトルおよびコンデンサの接続数により、バターワース特性に基づいて表１に示すようなマトリックス状に演算される。この演算する演算式に基づいてコントローラ７１０が遅延時間を演算する。
【００４３】
なお、あらかじめ演算した結果を、表１に示すようなカットオフ周波数と低域通過フィルタ８３０の次数とのマトリックス状のテーブル構造のデータとしてメモリ部６３５に記憶させておき、選択された低域通過フィルタ８３０に対応する遅延時間を表１のマトリックス状のテーブル構造のデータから読み出すようにしてもよい。
【００４４】
【表１】
2006014367.tif 000003
【００４５】
そして、コントローラ７１０が演算する演算式としては、例えばバターワース型の低域通過フィルタ８３０でカットオフ周波数が４０Ｈｚ以上２００Ｈｚ以下の範囲においては、以下の数１に示す２次関数で近似された演算式が例示できる。具体的には、群遅延特性が例えば図４中の点線で示す状態を平坦とするための遅延時間を、カットオフ周波数と次数との関数としてプロットして近似値を求めることにより、以下のカットオフ周波数の２次関数で近似された数１および表２の条件に示す演算式が求められる。この数１において、Ｔは遅延時間〔ｍｓ〕、Ｆcはカットオフ周波数で、ａ0，ａ1，ａ2は係数である。そして、バターワース型の低域通過フィルタ８３０でカットオフ周波数が４０Ｈｚ以上２００Ｈｚ以下の範囲における係数ａ0，ａ1，ａ2は、表２に示す状態となる。
【００４６】
〔数１〕
Ｔ＝ａ0・Ｆc2＋ａ1・Ｆc＋ａ2
【００４７】
【表２】
2006014367.tif 000004
【００４８】
なお、コントローラ７１０が演算する演算式は、上記表２に示す条件の数１に限らず、カットオフ周波数が他の範囲、低域通過フィルタ８３０を構成するリアクトルやコンデンサの電気特性の公差、聴取者が各スピーカ２３０から同期して再生出力されていると認識する範囲などの誤差範囲を考慮して、以下の数２に示す演算式の範囲に設定される。すなわち、この数２に示す範囲であれば、聴取者は低音効果音が遅延して再生出力されることによる不快感を生じず、良好な聴感が得られる。なお、この数２に示す演算式における係数ｅ1，ｅ2は、表３に示す条件である。
【００４９】
〔数２〕
（Ｔ−ｅ1*Ｔ）≦Ｔ≦（Ｔ＋ｅ2*Ｔ）
【００５０】
【表３】
2006014367.tif 000005
【００５１】
また、例えば低域通過フィルタ８３０がバターワース型以外のローパスフィルタの場合についても、図５に示すように、低域通過フィルタ８３０のインパルス応答の振幅が最大値となる時間をτとすると、遅延時間Ｔは以下の数３で示す演算式で求められる。すなわち、この遅延時間Ｔにてディレイ処理することで、聴取者は低音効果音が遅延して再生出力されることによる不快感を生じず、良好な聴感が得られる。
【００５２】
〔数３〕
Ｔ＝τ±０．１５τ
【００５３】
このように、コントローラ７１０にて演算した遅延時間で遅延処理されて遅延処理手段８６０から出力されるストリーム音声データは、各スピーカ２３０に対応する出力端子６３８へ出力される。
【００５４】
低音処理切替手段８７０は、コントローラ７１０の制御により、低音効果音用スピーカ２３０ＬＦＥから再生出力させる音声データとして、低域通過フィルタ８３０の通過による所定の周波数帯を除去して低音効果音として抽出した音声データとして再生出力させるか、他のスピーカ２３０Ｃ，２３０Ｒ，２３０Ｌ，２３０ＳＲ，２３０ＳＬと同様に所定の周波数帯を除去しない通常の音声データとして再生出力させるかを選択する。すなわち、低音処理切替手段８７０は、低音効果音用スピーカ２３０ＬＦＥに対応する遅延処理手段８６０のディレイ処理手段８６１および複数の低域通過フィルタ８３０と、低音効果音用スピーカ２３０ＬＦＥに対応する個別出力調整部８５０との間に位置して設けられている。そして、低音処理切替手段８７０は、コントローラ７１０の制御により低音効果音用スピーカ２３０ＬＦＥに対応するディレイ処理手段８６１と、複数の低域通過フィルタ８３０とを切り替え、低音効果音用スピーカ２３０ＬＦＥから再生出力させる音質を設定する。この低音処理切替手段８７０のコントローラ７１０による切替制御は、同様に例えば入力操作部４００による入力操作に対応するシステムマイコン３００からの制御信号に対応して実施される。
【００５５】
〔再生装置の動作〕
次に、上記再生装置の再生動作について説明する。
【００５６】
（直接再生処理）
まず、再生装置の再生動作として、入力される音声データを処理してダイレクトに各出力手段２００のスピーカ２３０からそれぞれ出力させる再生動作について、以下に説明する。
【００５７】
あらかじめ設定されている許容範囲内の所定の位置関係で、各スピーカ２３０を設置する。そして、各スピーカ２３０を再生装置１００の音声データ出力端子６６０に接続するとともに、音声データを出力する電子楽器や読取装置などの図示しない音声データ出力機器を音声データ入力端子６１０に接続する。この状態で再生装置１００や音声データ出力機器に電源が投入されると、システムマイコン３００が聴取者による入力操作部４００の各種入力状況を認識する。
【００５８】
すなわち、演算部６３６は、低音効果音用スピーカ２３０ＬＦＥから再生出力させる音声データとして、低音効果音として出力させるか他のスピーカ２３０と同様に出力させるかの聴取者による入力操作部４００の入力操作内容を認識する。この入力操作内容に基づいて、コントローラ７１０が低音処理切替手段８７０を適宜切り替える。すなわち、低音処理切替手段８７０は、コントローラ７１０からの制御信号に基づいて、低域通過フィルタ８３０側または遅延処理手段８６０側のいずれかに切替接続する。
【００５９】
また、演算部６３６は、低音効果音として出力させる旨が設定された状態で、その低音状態の設定すなわち低音効果音として再生出力させる音質に対応したいずれの低域通過フィルタ８３０が選択設定されたかを認識する。そして、この入力操作内容に基づいて、コントローラ７１０はフィルタ選択手段８４０を動作させ、いずれかの低域通過フィルタ８３０に切り替える。
【００６０】
そして、演算部６３６は、低音処理切替手段８７０が低音効果音として音声データを低音効果音用スピーカ２３０ＬＦＥから出力させる旨の低域通過フィルタ８３０側に切り替えられ、フィルタ選択手段８４０にて選択される低域通過フィルタ８３０を認識することで、遅延処理手段８６０にてストリーム音声データを遅延処理する遅延時間を演算する。すなわち、各スピーカ２３０の聴取者までの設置位置に対応した遅延時間をあらかじめ記憶しておいたメモリ部６３５から読み出す。さらに、選択された低域通過フィルタ８３０の特性に対応して、この低域通過フィルタ８３０をストリーム音声データが通過することにより生じる遅延に対応した遅延時間を、あらかじめメモリ部６３５に表２に示すようなマトリックス状のテーブル構造で記憶されたデータから読み取る。そして、読み取った遅延時間を合算し、合計の遅延時間で各遅延処理手段８６０のディレイ処理手段８６１で遅延処理可能に設定する。
【００６１】
なお、メモリ部６３５に記憶されたデータから遅延時間を読み取る他に、上述した数１あるいは数３に示す演算式がメモリ部６３５に記憶されている場合には、これらの演算式に基づいて低域通過フィルタ８３０をストリーム音声データが通過することにより生じる遅延に対応した遅延時間を演算する。そして、設置距離に対応する遅延時間と合算して遅延処理可能に設定するなどしてもよい。
【００６２】
さらに、演算部６３６は、各スピーカ２３０から再生出力させる出力レベル、すなわちボリューム量の入力操作状況を認識する。そして、この入力操作内容に基づいて、コントローラ７１０が出力調整部８１０および個別出力調整部８５０におけるボリューム制御、すなわち所定の係数を設定し、通過するストリーム音声データの再生出力レベルを調整可能にする。
【００６３】
また、演算部６３６は、各スピーカ２３０から再生出力させる音声データの音質を設定、すなわちエフェクト処理状況に関する設定についての入力操作状況を認識する。そして、この入力操作内容に基づいて、コントローラ７１０がエフェクト処理部８２０を制御して音声データを所定のエフェクト処理するための係数を設定し、通過するストリーム音声データを入力操作に対応したエフェクト状態で処理可能にする。
【００６４】
この状態で、音声データ出力機器から音声データが出力されると、この音声データ出力機器が接続される再生装置１００の音声データ入力端子６１０に入力される。この各音声データ入力端子６１０に入力された音声データは、ＤＩＲ６２０にて適宜変換し、ＤＳＰ６３０へそれぞれストリーム音声データとして出力する。そして、ＤＳＰ６３０では、各音声データ入力端子６１０でそれぞれ取得した複数のストリーム音声データを、音声データ入力端子６１０に対応する複数の入力端子６３１にてそれぞれ取得する。そして、各入力端子６３１で取得したストリーム音声データを、ミキシング・エフェクト部７２０の各音声データ処理部８００にてそれぞれ処理する。
【００６５】
すなわち、入力端子６３１に入力されたストリーム音声データは、出力調整部８１０により、聴取者による入力操作部４００の入力操作の状況に応じたコントローラ７１０からの制御信号に基づいてあらかじめ設定された内容で、それぞれ出力レベル調整すなわちボリューム制御される。さらに、ボリューム制御されたストリーム音声データは、エフェクト処理部８２０により、あらかじめ入力操作部４００の入力操作の状況に応じた設定内容で、エフェクト処理すなわち所定の音質に適宜変更する。
【００６６】
そして、フィルタ選択手段８４０および低音処理切替手段８７０が低域通過フィルタ８３０に接続されているので、エフェクト処理部８２０から出力されたストリーム音声データは、フィルタ選択手段８４０で選択された低域通過フィルタ８３０を通過する。この低域通過フィルタ８３０の通過により、ストリーム音声データは、その低域通過フィルタ８３０で設定されているカットオフ周波数で高域成分が除去され、下流側に接続され低音効果音用スピーカ２３０ＬＦＥに対応した個別出力調整部８５０に出力される。この個別出力調整部８５０に出力されたストリーム音声データは、あらかじめ設定された入力操作部４００の入力操作の状況に応じた設定内容で、ボリューム制御されて出力端子６３８へ出力され、他の音声データ処理部８００から出力されるストリームデータと加算される。
【００６７】
また、エフェクト処理部８２０を通過したストリーム音声データは、各スピーカ２３０Ｃ，２３０Ｒ，２３０Ｌ，２３０ＳＲ，２３０ＳＬに対応した個別出力調整部８５０により、あらかじめ設定された入力操作部４００の入力操作の状況に応じた設定内容でボリューム制御され、遅延処理手段８６０に出力される。この遅延処理手段８６０に出力されたストリーム音声データは、各スピーカ２３０Ｃ，２３０Ｒ，２３０Ｌ，２３０ＳＲ，２３０ＳＬに対応した各ディレイ処理手段８６１で、あらかじめ選択された低域通過フィルタ８３０に対応して設定された遅延時間に基づいて遅延処理し、それぞれ対応する各スピーカ２３０Ｃ，２３０Ｒ，２３０Ｌ，２３０ＳＲ，２３０ＳＬが接続される出力端子６３８に出力され、各音声データ処理部８００から出力される遅延処理後のストリーム音声データと加算される。
【００６８】
そして、出力端子６３８で各出力手段２００に対応して加算されたストリーム音声データは、音声データ出力端子６６０から各出力手段２００のＤＡＣ２１０に出力され、適宜アナログ信号のストリーム音声データに変換される。さらに、アンプ２２０で増幅処理され、各スピーカ２３０で再生出力される。
【００６９】
なお、例えば電源投入時における入力操作状況の認識により、演算部６３６が低音効果音を利用しないと判断した場合には、コントローラ７１０は単に各スピーカ２３０の設置位置による遅延時間をメモリ部６３５から読み取って遅延処理手段８６０に設定する。この低音効果音を利用しないとの判断は、低音効果音用スピーカ２３０ＬＦＥから他のスピーカ２３０と同様に所定の周波数でカットオフする処理が実施されない音声データを出力させる旨の遅延処理手段８６０側に低音処理切替手段８７０が切替接続されていると認識することによる。
【００７０】
そして、この場合には、エフェクト処理部８２０から出力されたストリーム音声データは、低音処理切替手段８７０が遅延処理手段８６０側に接続されていることから、個別出力調整部８５０を介して、あるいはそのまま遅延処理手段８６０に入力され、低域通過フィルタ８３０を通過しない。そして、ストリーム音声データは、遅延処理手段８６０のディレイ処理手段８６１にて、設定された設置位置に関する遅延時間で遅延処理されて出力端子６３８へ、低音効果音用スピーカ２３０ＬＦＥに対応する遅延処理されたストリーム音声データは個別出力調整部８５０を介して出力端子６３８へ出力され、それぞれ加算されて各出力手段２００のＤＡＣ２１０へ出力される。
【００７１】
（蓄積データの再生処理）
次に、再生装置１００の再生動作として、入力される音声データを一旦記憶し、記憶した各音声データを同期させてスピーカ２３０から出力させる再生動作について、以下に説明する。
【００７２】
各接続が得られた状態で再生装置１００や音声データ出力機器に電源が投入されると、上述した場合と同様に、システムマイコン３００が聴取者による入力操作部４００の各種入力状況を認識する。さらに、演算部６３６は、入力操作部４００による入力操作にて、入力される音声データを記憶させる旨の設定入力の待機状態となっている。
【００７３】
そして、音声データ出力機器から音声データが出力され、再生装置１００の音声データ入力端子６１０に入力されると、上述したようにミキシング・エフェクト部７２０にて適宜処理し、各スピーカ２３０から再生出力させる。この音声データ入力端子６１０から音声データが入力されている際に、演算部６３６が入力操作部４００による入力操作にて音声データを記憶させる旨の設定入力を認識すると、コントローラ７１０は同期信号に基づいて記憶させる設定入力の時点から記憶を停止させる旨の設定入力までのタイミング情報としての時刻情報をストリーム音声データに付加してメモリ部６３５のデータ格納領域６３５Ａに記憶させる。
【００７４】
このようにしてメモリ部６３５に記憶させた複数の音声データを、例えば再生装置１００に接続した図示しない表示装置に横軸に時間軸、縦軸に出力レベルとして表示させる。そして、入力操作部４００の入力操作にて、表示される音声データを適宜つなぎ合わせたり、重ね合わせたりするなどの加工処理をし、その加工処理状態で再生出力させる場合、コントローラ７１０は表示に対応して各ストリーム音声データに付加された時刻情報に基づいてメモリ部６３５のデータ格納領域６３５Ａからストリーム音声データを読み取る。これら読み取ったストリーム音声データを、上述したように、適宜遅延処理し、出力端子６３８へ出力して加算し、表示装置で加工処理した状態で各出力手段２００のスピーカ２３０から再生出力させる。
【００７５】
（音声データの記録）
次に、再生装置１００の動作として、出力手段２００の代わりに処理した音声データを記録媒体に記録したりネットワーク配信などをするために出力インターフェースなどが接続された場合の処理動作について、以下に説明する。
【００７６】
各接続が得られた状態で再生装置１００や音声データ出力機器に電源が投入されると、上述した場合と同様に、システムマイコン３００が操作者による入力操作部４００の各種入力状況を認識する。そして、処理した音声データを記録あるいはネットワーク配信などのデータ処理をする旨の入力操作を認識すると、コントローラ７１０にて遅延処理手段８６０における遅延処理として各スピーカ２３０の設置位置に関する遅延時間を実施させない制御をする。
【００７７】
そして、音声データが入力されると、上述したように、低域通過フィルタ８３０を利用する場合に所定の遅延時間を読み出しあるいは演算し、適宜遅延処理して出力端子６３８へ出力して加算し、音声データ出力端子６６０に接続された出力インターフェースへ出力する。
【００７８】
〔再生装置の作用効果〕
上記実施の形態について、低域通過フィルタ８３０を通過させる際に、対応して遅延処理する場合と、遅延処理しない場合とについての実験結果について、以下に説明する。図６は、振幅周波数特性および周波数との関係における遅延処理の有無の差を示すグラフである。
【００７９】
低域通過フィルタ８３０として、バターワース型のローパスフィルタを用い、例えば図６に示す減衰率で音声データを通過させる条件において、遅延処理をした本実施例と、遅延処理しない、すなわち単に設置距離に対応する遅延処理のみ実施する比較例とを比較し、群遅延特性の状態を比較した。その結果を図４に示す。この図４に示すように、低域通過フィルタ８３０に対応して上記一実施の形態と同様に遅延処理させることで、群遅延特性がほぼ平坦となり、良好な再生ができることがわかる。
【００８０】
上述したように、上記実施の形態では、コントローラ７１０により、音声データを所定の低音効果音用スピーカ２３０ＬＦＥから出力させる音声データを所定の周波数のみを通過させる低域通過フィルタ８３０に通過させる際に生じる遅延分である遅延時間で、低域通過フィルタ８３０を通過させずにスピーカ２３０Ｃ，２３０Ｒ，２３０Ｌ，２３０ＳＥ，２３０ＳＬで再生出力させる音声データに対して遅延処理手段８６０の各ディレイ処理手段８６１で遅延処理させる。このため、音声データから低音成分を抽出して再生させるために低域通過フィルタ８３０を通過させる処理により他の音声データとの再生タイミングに遅延が生じる場合でも、その遅延に対応して他の音声データを遅延させて低音成分と同タイミングで適切に再生出力させることができる。したがって、複数の低域通過フィルタ８３０にて抽出する低音成分を切り替えても、その都度適切な再生タイミングが得られ、良好な音声データの再生が得られる。
【００８１】
そして、コントローラ７１０により、音声データが通過する低域通過フィルタ８３０の群遅延特性の周波数毎の分散を最小にする遅延時間を求める関数の近似値となる数１に示す演算式に基づいて遅延時間を演算する。このため、低域通過フィルタ８３０を通過した低音成分の音声データと低域通過フィルタ８３０を通過しない他の音声データとを同タイミングで再生させるための遅延時間が、低域通過フィルタ８３０の特性に対応して容易に得られる。
【００８２】
また、コントローラ７１０により、低域通過フィルタ８３０が除去するカットオフ周波数の２次関数に基づいて遅延時間を演算する。このため、コントローラ７１０による同一タイミングでの良好な再生のための遅延時間の演算が容易にでき、処理付加が低下して迅速に処理でき、構成の簡略化も容易に図れ、良好な再生が容易に得られる。そして、複数の低域通過フィルタ８３０に対応してマトリックス状にメモリ部６３５に格納しておく必要がなく、メモリ部６３５の容量を有効活用でき、構成の簡略化が容易に図れる。また、演算式にてあらかじめ演算した遅延時間を音声データを通過させる低域通過フィルタ８３０に対応してマトリックス状に関連付けたデータ構造としてメモリ部６３５に記憶し、適宜読み出す構成とすることにより、遅延時間を取得するまでの演算時間を省略でき、より迅速に遅延時間を取得でき、迅速な音声データの処理ができ、音声データが再生されるまでの時間を短縮でき、良好な再生が得られる。
【００８３】
さらに、コントローラ７１０により、遅延時間をＴ〔ｍｓ〕、前記カットオフ周波数をＦcとしたとき、係数ａ0，ａ1，ａ2が表２に示す値を採る数１に示すＴ＝（ａ0・Ｆc2＋ａ1・Ｆc＋ａ2）に基づいて遅延時間を演算する。このため、良好に容易に周波数に対する群遅延特性を平坦化でき、同一タイミングによる適切な音声データの再生が簡単な演算式で良好に得られる。特に、低域通過フィルタ８３０として広く利用されるバターワース型のローパスフィルタで良好な再生が得られ、さらにはカットオフ周波数が４０Ｈｚ以上２００Ｈｚ以下の範囲にローパスティルタでより良好な再生が得られる。
【００８４】
また、係数ｅ1，ｅ2が表３に示す値を採る数２に示す（Ｔ−ｅ1*Ｔ）≦Ｔ≦（Ｔ＋ｅ2*Ｔ）に基づいて演算された遅延時間に基づいてコントローラ７１０にて遅延処理する。このため、所定のバターワース型のローパスフィルタに限らず、良好な再生が得られ、汎用性を向上できる。
【００８５】
さらに、低域通過フィルタ８３０のインパルス応答の振幅が最大値となる時間をτとしたときに、コントローラ７１０にて数３に示すＴ＝τ±０．１５τを遅延時間として演算して遅延処理する。この場合、バターワース型の低域通過フィルタ８３０に限らず、例えばチェビシェフ型や楕円型、ベッセル型などのいずれのフィルタを利用する場合でも対応でき、汎用性を向上できる。
【００８６】
そして、低音処理切替手段８７０により、低域通過フィルタ８３０を通過させる場合と通過させない場合とに切替可能としているため、低音効果音用スピーカ２３０ＬＦＥを他の通常のスピーカ２３０Ｃ，２３０Ｒ，２３０Ｌ，２３０ＳＲ，２３０ＳＬと同様に通常の音声データを再生させることも可能となり、より汎用性を向上できる。
【００８７】
〔実施形態の変形〕
なお、本発明は、上述した一実施の形態に限定されるものではなく、本発明の目的を達成できる範囲で以下に示される変形をも含むものである。
【００８８】
上述した実施の形態では、上述したように、５チャンネルに限らず、２つ以上のスピーカ２３０を用いて２チャンネル以上の多チャンネル音声データを再生する構成に適用できる。また、表示装置に映像データを表示させるために映像データをも処理する構成としてもよい。この映像データを処理する構成では、低域通過フィルタ８３０を通過させる遅延分で映像データをも合わせて遅延処理すればよい。この構成により、映像データと、各スピーカ２３０から再生する音声データとの同期も採れ、良好な視聴が得られる。
【００８９】
また、音声データ入力端子６１０から入力する音声データとしては、楽器や読取装置からの音声データを入力する構成について例示して説明したが、例えばネットワークを介して配信される音声データを入力する構成とするなどしてもよい。
【００９０】
そして、再生装置１００としては、オーディオ機器などに限らず、例えばプログラムを読み込んで再生装置１００の構成あるいはＤＳＰ６３０を構築した演算手段としての例えばパーソナルコンピュータや複数台のコンピュータが接続されたネットワーク、半導体素子、複数の電気部品が搭載された回路基板などの構成としてもよい。そして、本発明は、このコンピュータに読み込ませるプログラム、さらにはこのプログラムを記録した記録媒体などの構成として構成してもよい。この場合には、利用の拡大が容易に図れる。
【００９１】
また、複数の低域通過フィルタ８３０を設け、フィルタ選択手段８４０にて切り替えて説明したが、低域通過フィルタ８３０を１つのみとして低域通過フィルタ８３０を切替できない構成としてもよい。
【００９２】
さらには、低域通過フィルタ８３０を通過させず、低音効果音用スピーカ２３０ＬＦＥに通常の音声データを再生できるように低音処理切替手段８７０を設けて切替可能に構成して説明したが、低域通過フィルタ８３０を通過して抽出された低音効果音である低音成分の音声データのみを再生できる構成としてもよい。
【００９３】
また、上記一実施の形態では、遅延処理する直接再生処理と、蓄積データの再生処理との双方の処理が実行可能な再生装置として説明したが、いずれか一方のみ処理する構成としてもできる。また、蓄積データ再生処理において、音声データを再生する際に、低域通過フィルタ８３０を通過させる音声データを負の遅延処理を実施してもよい。すなわち、低域通過フィルタ８３０の通過により遅延する分に対応する早いタイミングである早い時間分で、低音抽出する音声データをメモリ部６３５から読み出し、音声データを低域通過フィルタ８３０に通過させるとともに、他のスピーカ２３０Ｃ，２３０Ｒ，２３０Ｌ，２３０ＳＲ，２３０ＳＬで再生させる音声データは、同期させてメモリ部６３５から読み出して遅延処理することなくそのまま再生可能に処理させる構成としてもよい。このような構成でも、上記一実施の形態と同様の低域通過フィルタ８３０に対応して低音成分を抽出する音声データと通常通り再生させる音声データとを良好に同期して再生できる。
【００９４】
本発明は、上述した一実施の形態および実施形態の変形のみに限ることなく、その他、本発明の目的を逸脱しない範囲で様々な応用が可能である。
【００９５】
〔実施の形態の作用効果〕
上述したように、上記実施の形態では、コントローラ７１０により、音声データを所定の低音効果音用スピーカ２３０ＬＦＥから出力させる音声データを所定の周波数のみを通過させる低域通過フィルタ８３０に通過させる際に生じる遅延時間に基づいて、第１のチャンネル信号となる低域通過フィルタ８３０に通過させて低音効果音用スピーカ２３０ＬＦＥで再生出力させる音声データと、低域通過フィルタ８３０を通過させずにスピーカ２３０Ｃ，２３０Ｒ，２３０Ｌ，２３０ＳＥ，２３０ＳＬで再生出力させる音声データとのタイミングを同期させている。すなわち、低域通過フィルタ８３０を通過させずにスピーカ２３０Ｃ，２３０Ｒ，２３０Ｌ，２３０ＳＥ，２３０ＳＬで再生出力させる音声データに対して、遅延処理手段８６０で遅延処理させる。このため、音声データから低音成分を抽出して再生させるために低域通過フィルタ８３０を通過させる処理により他の音声データとの再生タイミングに遅延が生じる場合でも、その遅延に対応して他の音声データを遅延させて低音成分と同タイミングで適切に再生出力させることができる。したがって、複数の低域通過フィルタ８３０にて抽出する低音成分を切り替えても、その都度適切な再生タイミングが得られ、良好な音声データの再生が得られる。
【００９６】
また、上記実施の形態において、コントローラ７１０により、同期信号に基づいて音声データを取得したタイミングに関するタイミング情報である時刻情報とともにメモリ部６３５に記憶する。そして、同期信号に基づいて、所定の低音効果音用スピーカ２３０ＬＦＥから出力させる音声データを低域通過フィルタ８３０に通気させる際に生じる遅延分に対応する早いタイミングの時刻情報に関連付けられた音声データをメモリ部６３５から読み出し、低域通過フィルタ８３０に通過させて低音効果音用スピーカ２３０ＬＦＥから再生可能に出力させるとともに、同期信号に対応するタイミングの時刻情報に関連付けられた音声データをメモリ部６３５から読み出し、フィルタを通過させずにスピーカ２３０Ｃ，２３０Ｒ，２３０Ｌ，２３０ＳＲ，２３０ＳＬから再生可能に出力する構成とする。このことにより、音声データから低音成分を抽出して再生させるために低域通過フィルタ８３０を通過させる処理により他の音声データとの再生タイミングに遅延が生じる場合でも、その遅延に対応して他の音声データより早いタイミングで読み出して同期させるので、同タイミングで適切に再生出力できる。したがって、複数の低域通過フィルタ８３０にて抽出する低音成分を切り替えても、その都度適切な再生タイミングが得られ、良好な音声データの再生が得られる。
【図面の簡単な説明】
【００９７】
【図１】本発明の一実施の形態に係る再生装置の概略構成を示すブロック図である。
【図２】前記一実施の形態におけるデジタル信号処理部のプログラムとしての概略構成を示すブロック図である。
【図３】前記一実施の形態におけるミキシング・エフェクト部の概略構成を示すブロック図である。
【図４】前記一実施の形態における群遅延特性および周波数との関係における遅延処理の有無の差を示すグラフである。
【図５】前記一実施の形態におけるインパルス応答と遅延時間との関係を示すグラフである。
【図６】前記一実施の形態における振幅周波数特性および周波数との関係における遅延処理の有無の差を示すグラフである。
【符号の説明】
【００９８】
１００      再生装置
２３０      スピーカ
６１０      音声データ取得手段としても機能する音声データ入力端子
６３０      音声データ処理装置としてのデジタル信号処理部
６３１      音声データ取得手段としての入力端子
６３５      記憶手段としてのメモリ部
７１０      演算手段である制御手段としてのコントローラ
８３０      フィルタとしての低域通過フィルタ
８４０      フィルタ選択手段
８６０      遅延処理手段
【図１】
2006014367.tif 000006
【図２】
2006014367.tif 000007
【図３】
2006014367.tif 000008
【図４】
2006014367.tif 000009
【図５】
2006014367.tif 000010
【図６】
2006014367.tif 000011